(57)【要約】      （修正有）【課題】呼び出しが行われるとき、反射モジュールが迅速に取り上げられ、画面が読み取られるときに便利にプルダウンされ、ユーザは情報の読み取りを容易にするための良好な視覚効果を得ることができる一種の仮想ディスプレイ装置を提供する。【解決手段】一種の仮想ディスプレイ装置は、固定台１と、反射モジュール２と、拡大モジュール３と、ブラケットユニット４とを含む。ブラケットユニットは、第１ブラケット４１と第２ブラケット４２とを含み、第１ブラケットと第２ブラケットは、振動変位を低減するために反射モジュールの角度調整を支持し固定する。【選択図】図２
0003219103.tif 000002
【実用新案登録請求の範囲】
【請求項１】
一種の仮想ディスプレイ装置あり、固定台と、反射モジュールと、拡大モジュールと、ブラケットユニットとを備え、
前記固定台は収容空間を有し、
前記反射モジュールは、投影画像を受け取り、投影画像を反射画像として反射するための反射片を有し、
前記拡大モジュールは、拡大片とバックカバーとを備え、前記拡大片は前記反射片の反射影像を受けて拡大表示するように構成され、
前記ブラケットユニットは、第１ブラケットと第２ブラケットとを含み、前記第１ブラケットは、第１回転軸ユニットと第２回転軸ユニットとを含み、前記第１回転軸ユニットは前記バックカバーと前記固定台とを回動可能に連結し、前記第２回転軸ユニットは前記反射モジュールに回動可能に連結され、前記第２ブラケッは第３回転軸ユニットと第４回転軸ユニットとからなり、前記第３回転軸ユニットは、前記バックカバーに回動可能に連結され、前記第４回転軸ユニットは、前記反射モジュールの端部に回動可能に連結され、  その特性は、前記第１ブラケットおよび前記第２ブラケットは、振動変位を低減するために前記反射モジュールの角度調整を支持することができ、呼出中に前記反射モジュールを引き上げることができ、スクリーンが読み取られると前記反射モジュールを引き出すことができることを特徴とする、仮想ディスプレイ装置。
【請求項２】
前記反射片は凸面鏡であり、前記拡大片は凹面鏡であることを特徴とする、請求項１に記載の仮想ディスプレイ装置。
【請求項３】
前記収納空間には、固定部材が設けられていることを特徴とする、請求項１に記載の仮想ディスプレイ装置。
【請求項４】
前記固定台には開口が設けられていることを特徴とする、請求項１に記載の仮想ディスプレイ装置。
【請求項５】
前記バックカバーには第１嵌合部材が設けられ、前記固定台には第２嵌合部材が設けられ、前記第１嵌合部材は前記第２嵌合部材と係合して、これにより、前記バックカバーが前記固定台に固定されることを特徴とする、請求項１に記載の仮想ディスプレイ装置。
【請求項６】
前記固定台の底面には、前記固定台の角度を調節できるスタンドが設けられていることを特徴とする、請求項１に記載の仮想ディスプレイ装置。
【請求項７】
前記第１回転軸ユニットは、弾性片を含み、前記弾性片は、前記拡大モジュールによって固定された角度の弾性力を提供することを特徴とする、請求項１に記載の仮想ディスプレイ装置。
【請求項８】
前記第２回転軸ユニットは、第１ストッパーを含み、前記反射モジュールには第２ストッパーが設けられ、前記第１ストッパーは前記第２ストッパーと係合して前記反射モジュールの角度固定を提供することを特徴とする、請求項１に記載の仮想ディスプレイ装置。
【請求項９】
前記第３回転軸ユニットは、第３ストッパーを含み、前記バックカバーには第４ストッパーが設けられ、前記第３ストッパーは前記第４ストッパーと係合して前記拡大モジュールの角度固定を提供することを特徴とする、請求項１に記載の仮想ディスプレイ装置。
【請求項１０】
前記第４回転軸ユニットは、第５ストッパーを含み、前記反射モジュールは第６ストッパーを備え、前記第５ストッパーは前記第６ストッパーと係合して反射モジュールの角度固定を提供することを特徴とする、請求項１に記載の仮想ディスプレイ装置。
【考案の詳細な説明】
【技術分野】
【０００１】
本考案は、仮想ディスプレイ装置に関し、特に、通話を容易にし、画面表示操作を表示することができる仮想ディスプレイ装置に関する。電話を掛けるとき、または呼び出しが行われるときにすぐに画面を離れて、画面を読むときに見るのが簡単である。ユーザが情報を読み取るときに最適な視覚的な表示を可能にする。
【０００２】
スマートフォンの機能が拡充され、インターネットと無線通信の技術が日増しに発展するにつれて、スマートフォンは多くの電子装置に取って代わるようになっている。
いつでも外からのメッセージを受け取ることができ、車内でもナビゲーションを行い、インターネットに繋がり、友人とメッセージのやり取りをすることができる。スマートフォンは非常に便利だが、画面が比較的小さいため、スクリーンサイズは年々拡大している。とは言っても、サイズにはやはり制限がある。
【０００３】
上述のように、これらの特許のほとんどは、携帯電話スクリーンを拡大する現在の技術を強化することができた。
【０００４】
このような問題を解決するために、業界は様々な解決策を提案し続けている。関連技術は、ＣＮ２０３０５７２４９Ｕ、ＣＮ２０３６０８２８２Ｕ、ＴＷ Ｍ５６１２１４、ＴＷ Ｍ５５５０４９、ＴＷ Ｉ５６３３６１、ＴＷ Ｍ５０７８７２、ＴＷ Ｍ５４１４０４、ＴＷ Ｍ５３５８１１、ＴＷ Ｍ５３６３６２、ＴＷ Ｍ５６１８０４、ＴＷ Ｍ５１７１６８、ＴＷ公報番号５０７９７８、ＴＷ公開番号２０１６０８２７９などが公開されている。ＣＮ２０３６０８２８２Ｕ（以下引用例と称する）は代表的な例である。第１図を参照すると、この引用例は、投影鏡９１と拡大鏡９２とを含む携帯電話スクリーンプロジェクタ（仮想ディスプレイ装置とも呼ばれる）である。投射鏡９１には、携帯電話９４の画面から取得した画像内容を拡大鏡９２に投影するのを容易にする凹曲面を有する鏡面９３が設けられている。投影鏡９１はベース９０と組み合わされて折り畳み動作を実現する。拡大鏡９２には、投影鏡９１から受け取った携帯電話９４のスクリーン画像内容の拡大を容易にするために凹曲面を有する鏡面９２０が設けられている。拡大レンズ９２は、上述したベース９０と組み合わされて折り畳み動作を実現する。投影鏡９１は、携帯電話９４の画像を取り込んで拡大鏡９２に反射させた後、拡大鏡９２で携帯電話９４の画像を拡大して見易くすることができる。この引用例の肯定的な効果は、ユーザが携帯電話９４の影像コンテンツを拡大して表示することを可能にする携帯電話画面拡大プロジェクタを提供することであり、ユーザは画面コンテンツをより便利に見ることができる。しかし、例えば通話状態において、携帯電話９４（または他の携帯電子装置）が拡大鏡９２（または拡大表示装置）によって阻害される場合、携帯電話９４（または他の携帯電子装置）の呼び出し操作に影響を及ぼすなどまだ克服すべきいくつかの欠点がある。したがって、携帯電話９２（または他の携帯電子装置）をスクリーン拡大プロジェクタから取り外すことは必要であるため、非常に不便である。
【先行技術文献】
【特許文献】
【０００５】
【特許文献１】台湾特許Ｍ５６１２１４号明細書
【特許文献２】台湾特許Ｍ５５５０４９号明細書
【特許文献３】台湾特許Ｍ５０７８７２号明細書
【特許文献４】台湾特許Ｍ５４１４０４号明細書
【特許文献５】台湾特許Ｍ５３５８１１号明細書
【特許文献６】台湾特許Ｍ５３６３６２号明細書
【特許文献７】台湾特許Ｍ５６１８０４号明細書
【特許文献８】台湾特許Ｍ５１７１６８号明細書
【特許文献９】台湾特許Ｉ５６３３６１号明細書
【特許文献１０】台湾特許公報番号第５０７９７８号明細書
【特許文献１１】台湾特許公開第２０１６０８２７９号明細書
【特許文献２】中国特許ＣＮ２０３０５７２４９Ｕ号明細書
【特許文献２】中国特許ＣＮ２０３６０８２８２Ｕ号明細書
【考案の概要】
【考案が解決しようとする課題】
【０００６】
このため、本考案者は、数多くの研究と改善の後、最終的に本考案の仮想ディスプレイ装置を完成させた。すなわち、本考案の目的は、通話および表示画面の操作を容易にすることができる仮想ディスプレイ装置である。ユーザが通話するときに、すぐに、仮想ディスプレイ装置を取り除くことができ、また、画面を見るときに、仮想ディスプレイ装置を取り付ける操作が容易に達成し、情報を読むのを視覚的に最も効果的で便利にすることができる。
【課題を解決するための手段】
【０００７】
上記目的を達成するため、本考案は仮想ディスプレイ装置を提供する。
【０００８】
仮想ディスプレイ装置は、固定台と、反射モジュールと、拡大モジュールと、ブラケットユニットとを備えている。
【０００９】
固定台は収容空間を有する。
【００１０】
反射モジュールは、投影画像を受け取り、投影画像を反射画像として反射するための反射片を有する。
【００１１】
拡大モジュールは、拡大片とバックカバーとを備え、拡大片は反射片の反射影像を受けて拡大表示するように構成されている。
【００１２】
ブラケットユニットは、第１ブラケットと第２ブラケットとを含み、第１ブラケットは、第１回転軸ユニットと第２回転軸ユニットとを含む。第１回転軸ユニットはバックカバーと固定台とを回動可能に連結し、第２回転軸は反射モジュールに回動可能に連結され、第２ブラケッは第３回転軸ユニットと第４回転軸ユニットとからなり、第３回転軸ユニットは、バックカバーに回動可能に連結され、第４回転軸ユニットは、反射モジュールの端部に回動可能に連結される。
【００１３】
本考案の仮想ディスプレイ装置の特性は以下のとおりである。
【考案の効果】
【００１４】
第１ブラケットおよび第２ブラケットは、振動変位を低減するために反射モジュールの角度調整を支持することができ、呼出中に反射モジュールを引き上げることができ、スクリーンが読み取られると反射モジュールを引き出すことができる。
【００１５】
反射片は凸面鏡であり、拡大片は凹面鏡である。
【００１６】
収納空間には、固定部材が設けられている。
【００１７】
固定台には開口が設けられている。
【００１８】
バックカバーには第1嵌合部材が設けられ、固定台には第２嵌合部材が設けられ、第１嵌合部材は第２嵌合部材と係合して、これにより、バックカバーが固定台に固定される。
【００１９】
固定台の底面には、固定台の角度を調節できるスタンドが設けられている。
【００２０】
第１回転軸ユニットは、弾性片を含み、弾性片は、拡大モジュールによって固定された角度の弾性力を提供する。
【００２１】
第２回転軸ユニットは、第１ストッパーを含み、反射モジュールには第２ストッパーが設けられ、第１ストッパーは第２ストッパーと係合して反射モジュールの角度固定を提供する。
【００２２】
第３回転軸ユニットは、第３ストッパーを含み、バックカバーには第４ストッパーが設けられ、第３ストッパーは第４ストッパーと係合して拡大モジュールの角度固定を提供する。
【００２３】
第４回転軸ユニットは、第５ストッパーを含み、反射モジュールは第６ストッパーを備え、第５ストッパーは第６ストッパーと係合して反射モジュールの角度固定を提供する。
【００２４】
本考案の仮想ディスプレイ装置は、ブラケットユニットの第１ブラケットと第２ブラケットを用いて反射モジュールの角度調整を支持して固定することにより、ショックシフトを低減する。同時に、本考案によって提供される仮想ディスプレイ装置は、便利な呼び出しおよび操作画面を表示する進歩性を有する。呼び出しが行われるとき、反射モジュールは迅速に取り上げられ、反射モジュールは、画面が読み取られるときに便利にプルダウンされることができ、ユーザは情報の読み取りを容易にするために視覚効果が最も良好である。
【図面の簡単な説明】
【００２５】
【図１】従来の技術構造の模式図である。
【図２】本考案の立体分解模式図である。
【図３】本考案の立体模式図である。
【図４】本考案の画像を読み取るときの拡大された空中結像光路の模式図である。
【図５】本考案の通話中の実施形態の模式図である。
【図６】本考案の第２回転軸ユニットが角度固定のための係合を示す部分断面模式図である。
【図７】本考案の第３回転軸ユニットが角度固定のための係合を示す部分断面模式図である。
【図８】本考案の第４回転軸ユニットが角度固定のための係合を示す部分断面模式図である。
【図９】スタンドによる本考案の架設の実施形態の模式図である。
【考案を実施するための形態】
【００２６】
本考案の仮想ディスプレイ装置Ａは、図２、図３、図４に示すように、固定台１と、反射モジュール２、拡大モジュール３とを含む。
【００２７】
固定台１には収容空間１１が設けられ、収容空間１１にはマグネット、ナノマグネット、吸盤等の固定部材１２が設けられている。固定部材１２は、携帯型電子機器Ｔであり、携帯型電子機器Ｔは、スマートフォン、タブレットコンピュータ、またはスクリーンディスプレイを備えた電子機器である。
【００２８】
反射片２１は凸面鏡であり、反射片２１は投影像を受けて投影像を反射像として反射する。
【００２９】
拡大モジュール３は、拡大片３１とバックカバー３２とを備えている。拡大片３１は凹面鏡であり、虚像結像の原理は凹面鏡を介した結像するのである。凹面鏡結像公式は:  1  /p十1  /  q＝  1  /  f（  f:ピント,  q:物体距離,  p:映像距離）である。
一般的な拡大倍率は、虚像を拡大することができ、または同じ比率で虚像距離を遠くにすることができる。４倍から６倍の間で、ユーザは最良の状態に達することができ、倍率が大きすぎると、めまいを感じることになる。虚像がユーザの眼球から２メートル以上離れたところに到達するようにするには、結像を反射片の１．２メートル以上にする必要がある。すなわち、スクリーンから凹面鏡までの距離は約３０ｃｍ以上（倍率を５倍とする）である。拡大片３１は、反射片２１の反射像を受けて反射像を拡大して表示する。
【００３０】
ブラケットユニット４は、第１ブラケット４１と第２ブラケット４２とを備えている。ブラケットユニット４が折り畳まれて、または開かれて、決められた位置まで達したとき、第１ブラケット４１と第２ブラケット４２の長さは全く同じである。第１ブラケット４１は、第１回転軸ユニット４１１と、第２回転軸ユニット４１２とを含む。第１回転軸ユニット４１１は、バックカバー３２及び固定台１に回動自在に連結され、第２回転軸４１２は、反射モジュール２に回動可能に連結される。第２ブラケット４２は、第３回転軸ユニット４２１と、第４回転軸ユニット４２２とを含む。第３回転軸ユニット４２１は、バックカバー３２に回動可能に連結される。第４回転軸ユニット４２２は、反射モジュール２の端部に回動可能に連結され、第１回転軸ユニット４１１は、少なくとも一つの弾性片４１１１を含み、弾性片４１１１は一定の角度で固定された弾性力を提供する。
【００３１】
その特性は次のとおりです。
【００３２】
第１ブラケット４１および第２ブラケット４２は、反射モジュール２の角度調整を支持して振動変位を低減させ、通話中に反射モジュール２を収納することができ、スクリーンの読み取り時に反射モジュール２を開くことができる。 
【００３３】
上記固定台１には、携帯型電子機器Ｔを提供するためのレンズ（例えば携帯電話）が画像を取り込むための開口１３が設けられている。
【００３４】
バックカバー３２には、第１嵌合部材３３が設けられている。固定台１には、第２嵌合部材１４が設けられており、第１嵌合部材３３は、第２嵌合部材１４と係合している。 バックカバー３２は、固定台１とともに折り畳まれると固定される。
【００３５】
第２回転軸ユニット４１２は、第１ブラケット４１の一端に配置され、第２回転軸ユニット４１２は、第１ストッパー４１２１を含む。反射モジュール２には、第２ストッパー２１１が設けられている。第２ストッパー２１１は、第１ストッパー４１２１に係合して反射モジュール２の角度固定を行う（図６参照）。
【００３６】
第３回転軸ユニット４２１は、第２ブラケット４２の一端に配置され、第３回転軸ユニット４２１は、第３ストッパー４２１１を含む。拡大モジュール３のバックカバー３２には、第４ストッパー３２１が設けられる。第３ストッパー４２１１は、第４ストッパー３２１と係合して、拡大モジュール３の角度固定を提供する（図７に示すように）。
【００３７】
第４回転軸ユニット４２２は、第２ブラケット４２の他端に配置される。第４回転軸ユニット４２２は、第５ストッパー４２２１を含み、反射モジュール２は、第６ストッパー２１２を備える。第５ストッパー４２２１は、第６ストッパー２１２と係合して、反射モジュール２の角度固定を提供する（図８に示すように）。
【００３８】
図４に示すように、本考案の仮想ディスプレイ装置Ａを使用する場合には、まず、携帯型電子機器Ｔを固定台１の収容空間１１に収容する。携帯型電子機器Ｔは、固定部材１２によって吸着固定され、通話のない状態では、携帯型電子機器Ｔの画面を読み取るために、反射モジュール２を引き下げるだけでよい。そして、携帯型電子機器Ｔの画像に対応する位置に引っ張る。第２回転軸ユニット４１２の第１ストッパー４１２１は、反射モジュール２の第２ストッパー２１１と係合する（図６に示すように）。第４回転軸ユニット４２２の第５ストッパー４２２１は、反射モジュール２の第６ストッパー２１２と係合して（図８に示すように）、反射モジュール２の角度固定および支持を提供する。第３回転軸ユニット４２１の第３ストッパー４２１１は、バックカバー３２の第４ストッパー３２１に係合して（図７参照）、拡大モジュール３の角度固定及び支持を提供する。第１ブラケット４１および第２ブラケット４２は、反射モジュール２を固定するために良好な支持を得るために使用され、ユーザが携帯型電子機器Ｔを保持したときに、その振動による変位を低減することができる。また、携帯型電子機器Ｔのスクリーンの投影像は、まず反射モジュール２の反射片２１で受光され、投影像が反射像として反射されて反射光路Ｌ１が形成される。拡大モジュール３の拡大片３１は反射片２１の反射像を受光した後、反射像を表示し、拡大して拡大光路Ｌ２を形成する。ユーザ−の目Ｅは、遠隔の結像区Ｅ１によって拡大された画像を見ることができ、それによって情報の読み取りを容易にする最適な視覚的効果を提供する。
【００３９】
図５に示すように、ユーザ−が電話をしたいときには、反射モジュール２を拡大モジュール３に取り付けるだけでよく、携帯型電子機器Ｔを仮想ディスプレイ装置Ａから取り外す必要はない。通話を容易にするために、電話を耳に当てて、電話を直接聞くことができる。
【００４０】
図９に示すように、本考案の固定台１の底面には、固定台１の角度を調整可能なスタンド１５が設けられ、仮想ディスプレイ装置Ａを平面上に架設されることを提供する（たとえば、デスクトップ上）。ユーザは携帯型電子機器Ｔを持たずに画面の拡大画像を見ることができる。
【００４１】
本考案の仮想ディスプレイ装置Ａは、第１ブラケット４１と第２ブラケット４２とを用いて反射型モジュール２の角度を安定して固定することができ、携帯型電子機器Ｔを手持ち状態で使用することができる。情報の閲覧に最適な視覚的表示が便利である。呼び出しが行われるとき、反射モジュール２は、呼出しを容易にするために素早く引き上げることができる。さらに、本考案の仮想ディスプレイ装置Ａは、仮想ディスプレイ装置Ａの設置を容易にするために、スタンド１５でさらに展開して固定することができ、携帯型電子機器Ｔを手で保持することなく画面の拡大画像を見ることができる。
【００４２】
要するに、本考案の仮想ディスプレイ装置は、従来技術の欠点を効果的に解決することができ、本考案に用いられる技術的手段は従来技術ではないので、実用新案の新規性及び進歩性を備えているといえる。
【００４３】
本考案は実際に所望の機能および目的を達成することができ、当業者が上記詳細な記述に基づいて実施することが可能であるため、上記の実施例より、同等の構造における変化は、依然として本考案の権利の範囲から逸脱していない。即ち、本考案に関連する同じ創造的な精神において行われた変更または改変は、本考案の保護の範囲に含まれるべきである。
【符号の説明】
【００４４】
〔従来技術〕
９０  ベース
９１  投射鏡
９２  拡大鏡
９２０鏡面
９３  鏡面
９４  携帯電話
〔本考案〕
Ａ    仮想ディスプレイ装置
１    固定台
１１  収容空間
１２  固定部材
１３  開口
１４  第２嵌合部材
１５  スタンド
２    反射モジュール
２１  反射片
２１１  第２ストッパー
２１２  第６ストッパー
３      拡大モジュール
３１    拡大片
３２    バックカバー
３２１  第４ストッパー
３３    第１嵌合部材
４      ブラケットユニット
４１    第１ブラケット
４１１  第１回転軸ユニット
４１１１  弾性片
４１２  第２回転軸ユニット
４１２１  第１ストッパー
４２    第２ブラケット
４２１  第３回転軸ユニット
４２１１  第３ストッパー
４２２  第４回転軸ユニット
４２２１  第５ストッパー
Ｅ      ユーザの目
Ｅ１    遠隔結像区
Ｌ１    反射光路
Ｌ２    拡大光路
Ｔ      携帯型電子機器
【図１】
0003219103.tif 000003
【図２】
0003219103.tif 000004
【図３】
0003219103.tif 000005
【図４】
0003219103.tif 000006
【図５】
0003219103.tif 000007
【図６】
0003219103.tif 000008
【図７】
0003219103.tif 000009
【図８】
0003219103.tif 000010
【図９】
0003219103.tif 000011